(57)【要約】【課題】デジタルカメラの悪用防止を徹底することができる機能を有する撮影装置を提供する。【解決手段】シャッタボタン１１による撮影指示時に、レンズ１２および撮像素子１３により撮像を行うとともに、シャッタ音をスピーカ１９から発生する。このシャッタ動作に同期してマイク２１により集音を行い、信号処理部１５で、集音された音の解析を行う。中央演算処理装置１０は、解析結果に基づいて、集音された音が、予め定められたシャッタ音と一致するか否かを確認し、前記集音された音が、予め定められたシャッタ音と一致しない場合には当該撮影を無効化する。【選択図】  図１
2005017565.tif 000002
【特許請求の範囲】
【請求項１】
被写体像をデジタルデータに変換する撮影手段と、
デジタルデータを記憶する記憶手段と、
撮影指示時にシャッタ音を発生するシャッタ音発生手段と、
シャッタ動作に同期して集音する集音手段と、
集音された音の解析を行う音解析手段と、
集音された音が、予め定められたシャッタ音と一致するか否かを確認し、前記集音された音が、予め定められたシャッタ音と一致しない場合には当該撮影を無効化する制御手段と、を備えたことを特徴とする撮影装置。
【請求項２】
前記制御手段は、撮影された被写体像のデジタルデータを前記記憶手段に一時保存し、前記集音された音が、予め定められたシャッタ音と一致したことが前記音解析手段により確認されたとき前記被写体像のデジタルデータの保存を確定することを特徴とする請求項１記載の撮影装置。
【請求項３】
前記制御手段は、前記集音された音が、予め定められたシャッタ音と一致したことが前記音解析手段により確認されたとき、前記撮影手段による撮影を開始させることを特徴とする請求項１記載の撮影装置。
【請求項４】
上記シャッタ音が可聴領域外の音を含み、前記音解析手段は当該可聴領域外の音をも解析し、前記制御手段は両音がともに検出されないとき当該撮影を無効化するすることを特徴とする請求項１記載の撮影装置。
【請求項５】
撮影時に外部空間に光を発生する発光部と、
この光を外部空間を介して受光する受光部とをさらに備え、
前記制御手段は、前記受光部で前記発光が検出されないとき当該撮影を無効化することを特徴とする請求項１記載の撮影装置。
【請求項６】
前記光が可視光に加えて可視領域外の光をも含んでおり、前記受光部は両光を検出し、前記制御手段は両光がともに検出されないとき当該撮影を無効化することを特徴とする請求項５記載の撮影装置。
【請求項７】
撮影時に外部空間に香りを発生する発香部と、
この香りを外部空間を介して受香する受香部とをさらに備え、
前記制御手段は、前記受香部で前記発香が検出されないとき当該撮影を無効化することを特徴とする請求項１記載の撮影装置。
【請求項８】
被写体像をデジタルデータに変換する撮影手段と、
デジタルデータを記憶する記憶手段と、
撮影時に外部空間に光を発生する発光部と、
この光を外部空間を介して受光する受光部と、
前記受光部で前記発光が検出されないとき当該撮影を無効化する制御手段と、を備えたことを特徴とする撮影装置。
【請求項９】
前記光が可視光に加えて可視領域外の光をも含んでおり、前記受光部は両光を検出し、前記制御手段は両光がともに検出されないとき当該撮影を無効化することを特徴とする請求項８記載の撮影装置。
【請求項１０】
被写体像をデジタルデータに変換する撮影手段と、
デジタルデータを記憶する記憶手段と、
撮影時に外部空間に香りを発生する発香部と、
この香りを外部空間を介して受香する受香部と、
前記受香部で前記発香が検出されないとき当該撮影を無効化する制御手段と、を備えたことを特徴とする撮影装置。
【発明の詳細な説明】
【０００１】
【発明の属する技術分野】
本発明は、デジタルカメラまたはデジタルカメラ付き電子機器のような撮影装置に関する。
【０００２】
【従来の技術】
近年、被写体の映像をＣＣＤ（Ｃｈａｒｇｅ  Ｃｏｕｐｌｅｄ  Ｄｅｖｉｃｅ）のような撮像素子で撮影し、画像をデジタル的に処理するデジタルカメラが普及してきている。デジタルカメラでは従来の銀塩式フィルムを用いるカメラと異なり、機械的なシャッタを用いないためシャッタ音がしない。
【０００３】
これに伴い、現在、カメラ付き携帯電話機ではカメラの悪用防止を目的として、撮影時に「シャッタ音」を鳴動させることが通信サービス事業者により義務付けられている。
【０００４】
図６に示すように、従来のカメラ付き携帯電話機では、シャッタボタン押下（Ｓ１）をトリガに、シャッタ音鳴動（Ｓ２）と並行して、被写体データの取得動作を実行する。この取得動作では、被写体データを取り込み（Ｓ３）、この撮像データを内部メモリへ一時保存し（Ｓ４）、表示画面においてプレビューを行う（Ｓ５）。これを確認したユーザの指示に応じて（Ｓ６）、この一時保存中の撮像データを内部メモリに保存確定する（Ｓ７）か、または、破棄する（Ｓ８）。
【０００５】
【発明が解決しようとする課題】
上記のように、従来の撮影装置では、シャッタ音鳴動と被写体データ取り込みがそれぞれ独立して行われるため、例えば、スピーカを取り外してしまったとしても、撮影自体は支障なく行える。あるいは、スピーカを取り外さないまでも、スピーカの放音面を塞いだり、スピーカの信号線を切断したりする等により、消音撮影が行われる可能性もある。
【０００６】
本発明はこのような背景においてなされたものであり、その目的は、デジタルカメラの悪用防止を徹底することができる機能を有する撮影装置を提供することにある。
【０００７】
【課題を解決するための手段】
本発明による撮影装置は、被写体像をデジタルデータに変換する撮影手段と、デジタルデータを記憶する記憶手段と、撮影指示時にシャッタ音を発生するシャッタ音発生手段と、シャッタ動作に同期して集音する集音手段と、集音された音の解析を行う音解析手段と、集音された音が、予め定められたシャッタ音と一致するか否かを確認し、前記集音された音が、予め定められたシャッタ音と一致しない場合には当該撮影を無効化する制御手段とを備えたことを特徴とする。
【０００８】
シャッタ動作に同期して集音された音が、予め定められたシャッタ音と一致しない場合にはシャッタ音が故意に消音または弱音化されたと判断され、その撮影が無効化される。これによって、盗撮等の撮影装置の悪用が防止される。
【０００９】
撮影の無効化は、すでに撮影され一時保存された被写体像のデジタルデータの保存の確定を阻止することにより行うことができる。あるいは、撮影の開始を阻止することにより行える。
【００１０】
シャッタ音の発生に加えて、または、代えて、撮影時に外部空間に光を発生する発光部からの発光が受光部で検出されないとき当該撮影を無効化するようにしてもよい。
【００１１】
シャッタ音の発生に加えて、または、代えて、撮影時に外部空間に香りを発生する発香部からは発香が受香部で検出されないとき当該撮影を無効化するようにしてもよい。
【００１２】
【発明の実施の形態】
以下、本発明の実施の形態について、図面を参照して詳細に説明する。
【００１３】
図１は、本発明による撮影装置としてのカメラ付き携帯電話機の構成を示すブロック図である。
【００１４】
中央演算処理装置１０は、この携帯電話機全体の動作を制御する。撮像素子１３は、中央演算処理装置１０の制御下でシャッタボタン１１の押下をトリガとして、レンズ１２を通して得られる被写体を撮像する。撮像素子１３の出力はＡ／Ｄ変換機１４によりデジタルデータに変換されて信号処理部１５で信号処理され、撮像データとして内部メモリ１６に格納される。信号処理部１５には通信部２４が接続されている。通信部２４は、アンテナ２５を介して基地局（図示せず）との間で音声およびデータの送受信を行う。受信した音声や電話機内で発生した音の信号は信号処理部１５からＤ／Ａ変換機１７および増幅器１８を介してスピーカ１９から放音される。ユーザの声や周囲の音はマイク２１で集音され、電気信号に変換され、さらに増幅器２２およびＡ／Ｄ変換機２３を介してデジタル信号として信号処理部１５に入力され、通信部２４により外部に出力されたり、内部メモリ１６に録音されたりする。
【００１５】
中央演算処理装置１０にはさらに、テンキーやカーソル指示キー、電話キー、終話キーなどの各種入力キー等を含む操作部２６と、液晶ディスプレイ等の表示画面を有する表示部２７とが接続されている。シャッタボタン１１は操作部２６の１キーが兼ねてもよい。
【００１６】
本実施の形態では、内部メモリ１６に少なくとも１種類のシャッタ音を定めるシャッタ音データが保存されており、シャッタボタン１１の押下による撮影時にこのシャッタ音データに応じた音がスピーカ１９から発生する。本発明における「シャッタ音」とは撮影指示に応じて発生する予め用意された音であり、代表的には機械的な「カシャッ」という音であるが、これに限るものではない。信号処理部１５は、マイク２１で集音された音のデジタルデータに基づいて当該集音された音の周波数解析等を行い、集音された音の特徴が前記シャッタ音の特徴と一致するかどうかをパターンマッチング等の手法によりチェックする機能を有する。そのためには例えばフーリエ変換やウェーブレット変換等を利用し、音の周波数スペクトルを検査して音の特徴を抽出する。シャッタ音が「ハイ、チーズ」のような言葉からなる場合、集音された音の解析は音声認識であってもよい。
【００１７】
図２により、図１の携帯電話機の第１の撮影処理を説明する。この処理は中央演算処理装置１０により制御される。シャッタボタン１１の押下が検出されると（Ｓ１１）、シャッタ音の発生（鳴動）関連の処理（Ｓ１２〜Ｓ１７）と、被写体データ取得関連の処理（Ｓ２１〜Ｓ２６）が並行して行われる。ただし、後述するように、後者の処理には前者の処理結果が関与する。
【００１８】
シャッタ音の発生（鳴動）関連の処理では、まず、シャッタ音鳴動が行われる（Ｓ１２）。そのために中央演算処理装置１０が内部メモリ１６に用意してあるシャッタ音データを取り出し、信号処理部１５に与える。信号処理部１５はこのデータをＤ／Ａ変換機１７に送りアナログデータに変換し、増幅器を用いてスピーカより放音させる。この放音と同時にマイク２１からシャッタ音を含む筈の周囲の音を集音する（Ｓ１３）。集音された音の電気信号は増幅器２２で増幅され、Ａ／Ｄ変換機２３でデジタルデータに変換され、信号処理部１５へ入力される。信号処理部１５はこの集音された音を解析する（Ｓ１４）。ついで、この音の特徴が、シャッタ音の原音の特徴と一致するか否かをチェックする（Ｓ１５）。
シャッタ音が複数用意されていてユーザが所望のシャッタ音を選択できる場合、集音された音と比較されるべき原音も切り替えられる。集音されたシャッタ音と原音との一致が確認されれば、プレビュー表示を起動する（Ｓ１７）。一致が確認されなければ、撮像データを破棄する（Ｓ１６）。
【００１９】
被写体データ取得関連の処理では、まず、被写体データの取り込みを行う（Ｓ２１）。そのために、レンズ１２からの光データが撮像素子１３により電気信号に変換され、Ａ／Ｄ変換機１４を通してデジタルデータとなる。そのデータは信号処理部１５で演算（圧縮）され、中央演算処理装置１０により内部メモリ１６のバッファ領域に一時保存される（Ｓ２２）。そこで、上記ステップＳ１７によるプレビュー表示の起動が行われたか否かを判定する（Ｓ２３）。行われていなければ、この撮影処理を終了する。プレビュー表示の起動が行われていれば、表示部２７においてプレビュー表示を行う（Ｓ２４）。ユーザはこのプレビュー表示による撮影画像をチェックし、保存するか否かを操作部から指示する。この指示が「保存する」であった場合（Ｓ２５，Ｙｅｓ）、一時保存されている撮像データを内部メモリ２６の別の領域（不揮発性の記録領域）に確定的に保存（保存確定）し（Ｓ２６）、この撮影処理を終了する。ここで「一時保存」とは一時的にデータを記憶する動作をいい、このデータは撮像直後の破棄の対象となる。一時保存は、データを破棄せずに保存を確定する「保存確定」と区別される。
【００２０】
図２の処理により、シャッタボタン１１の押下により一旦、被写体データが取り込まれ、内部メモリに一時保存されても、集音されたシャッタ音とその原音とが一致しなければ、ユーザはその撮像データを見ることも保存確定することもできない。すなわち、シャッタ音の発生が確認されたときのみ、撮像データを見ることができ、また、保存確定することができる。これによって、何らかの手段によりシャッタ音を消音または弱音化させて盗撮的な動作を行おうとする企てが抑止される。
【００２１】
図２の撮影処理では、シャッタ音発生関連の処理と、被写体データ取得関連の処理とを並行して実行するようにしたが、特にシャッタ音関連の処理を先行して実行するようにしてもよい。このような処理のフローチャートを図３に示す。
【００２２】
図３の処理において、まず、シャッタボタン押下を検出する（Ｓ３１）と、上記と同様にシャッタ音を鳴動させる（Ｓ３２）。ついでシャッタ音を含む筈の周囲の音を集音し（Ｓ３３）、これを解析する（Ｓ３４）。シャッタ音が確認されなければ（Ｓ３５，Ｎｏ）、当該撮像データを破棄し（Ｓ３６）、この撮影処理を終了する。シャッタ音が確認された場合には、被写体データを取り込み（Ｓ３７）、内部メモリに一時保存する（Ｓ３８）。ついで、プレビュー表示を行う（Ｓ３９）。ユーザの指示が「保存する」の場合には（Ｓ４０，Ｙｅｓ）、撮像データを内部メモリの所定の領域に保存確定して（Ｓ４１）、この撮影処理を終了する。
【００２３】
図３の処理ではシャッタ音の発生が確認されない場合には被写体データの取り込み自体を行わないので、無駄な取り込み処理およびそのための消費電力を削減することができる。シャッタ音の発生を確認した後、被写体データの取り込みを行うので、シャッタ押下から被写体取り込みまでの遅延が生じるが、高速な処理が行えればこの問題は解消される。
【００２４】
図４に本発明の他の実施の形態による携帯電話機のブロック図を示す。図１に示した携帯電話機と同一の構成要素には同一の参照番号を付してある。図１の携帯電話機と異なる点は、発光部３１と受光部３２とを追加したことである。この実施の形態では、上記シャッタ音の発生に加えて、または代えて、発光部３１から所定の光（少なくとも可視光）が外部空間へ向けて発生したことを撮影有効化の条件とするものである。携帯電話機の周囲にいる者は、この発光により撮影が行われたことを認識できる。シャッタボタン１１の押下に同期して発光部３１で発光された光が受光部３２において検出されないとき、撮影は無効化される。
【００２５】
なお、発光部３１から発光する光は可視光に加えて可視領域外（例えば赤外）の光を含んでもよい。この場合、受光部３２では発光部３１から発光する可視光および可視領域外の光をともに検出することを撮影有効化の条件とする。可視領域外の光をも検出する理由は、悪意ユーザにより光の発生が阻止されているにもかかわらず外部の光により偶然条件が満たされるような場合を回避するために、撮影有効化の条件を増加させることにある。シャッタ音発生と組み合わされる場合には、可視領域外の光のみを利用してもよい。
【００２６】
図５に本発明のさらに他の実施の形態による携帯電話機のブロック図を示す。図１に示した携帯電話機と同一の構成要素には同一の参照番号を付してある。図１の携帯電話機と異なる点は、発香部３３と受香部３４とを追加したことである。この実施の形態では、上記シャッタ音の発生に加えて、または代えて、発香部３３から所定の香りが外部空間へ向けて発生したことを撮影有効化の条件とするものである。携帯電話機の周囲にいるものは、この香りにより撮影が行われたことを認識できる。シャッタボタン１１の押下に同期して発香部３３で発光された香りが受香部３４において検出されないとき、撮影は無効化される。この実施の形態は先行する他の実施の形態と組み合わせて用いることも可能である。
【００２７】
以上、本発明の好適な実施の形態について説明したが、上記で言及した以外にも種々の変形、変更が可能である。例えば、撮影の無効化は、被写体データの取り込みの抑止、確定保存の抑止のほか、撮像素子のデータをＡ／Ｄ変換の抑止であってもよい。要するに、撮影の無効化のためには、撮影者がシャッタボタンを押してから撮像データを取り込むまでの複数のプロセスの中の１つの実行条件を阻害すればよい。撮影が無効化された場合に、その撮影された被写体の像が撮影者に見えてはならない。
【００２８】
本発明における「撮影」には静止画の撮影のみならずムービー撮影のような動画の撮影も含み、後者の場合にも本発明を適用可能である。例えば、少なくとも撮影開始時または撮影終了時に出力される音等に対して本発明を適用することができる。
【００２９】
携帯電話機について説明したが、本発明はこれに限るものではなく、例えば通信機能を有さないデジタルカメラまたはカメラ付き電子機器にも適用可能である。
【００３０】
内部メモリのほかに、着脱可能な外部メモリを備えてもよい。後述する保存確定先としてこのような外部メモリを用いてもよい。
【００３１】
【発明の効果】
本発明によれば、悪意を持った撮影者が故意に消音（消光、消香）撮影を行っても所期の目的を達成できないように撮影を無効化することができる。また、撮影を有効化するためにはシャッタ音等の発生を必須の条件とすることにより、撮影が実行されたときにはその被撮影者にその事実を確実に知らせることができる。その結果、盗撮のような撮影装置の悪用防止を図ることができる。
【図面の簡単な説明】
【図１】本発明による撮影装置としてのカメラ付き携帯電話機の構成を示すブロック図である。
【図２】図１の携帯電話機の第１の撮影処理を示すフローチャートである。
【図３】図１の携帯電話機の第２の撮影処理を示すフローチャートである。
【図４】本発明の他の実施の形態による携帯電話機のブロック図である。
【図５】本発明のさらに他の実施の形態による携帯電話機のブロック図である。
【図６】従来のカメラ付き携帯電話機の撮影処理を示すフローチャートである。
【符号の説明】
１１…シャッタボタン、１２…レンズ、１３…撮像素子、１４…Ａ／Ｄ変換機、１５…信号処理部、１６…内部メモリ、１７…Ｄ／Ａ変換機、１８…増幅器、１９…スピーカ、２１…マイク、２２…増幅器、２３…Ａ／Ｄ変換機、２４…通信部、２５…アンテナ
【図１】
2005017565.tif 000003
【図２】
2005017565.tif 000004
【図３】
2005017565.tif 000005
【図４】
2005017565.tif 000006
【図５】
2005017565.tif 000007
【図６】
2005017565.tif 000008